(57)【要約】【課題】装置内の温度に基づき送風を制御する。【解決手段】プロジェクタ装置１内の複数部分の温度が温度センサ１１と１２で検出される。温度センサ１１はより高温となるランプ３の付近に設けられる。検出された温度が所定平均温度よりも高いと、ファン１４の送風方向は、より温度が高い部分に向くように、そしてファン１４と１３の送風量は温度を低下させるために増加させられる。【選択図】図１
2008003489.tif 000002
【特許請求の範囲】
【請求項１】
光源部と、送風部とを備えるプロジェクタ装置であって、
前記プロジェクタ装置の内部の複数部分の温度を検出する温度検出部と、
前記温度検出部により検出された前記温度に基づき、前記送風部の送風方向を変更する送風制御部と、をさらに備え、
前記送風制御部は、
前記温度検出部により検出された前記複数部分の温度と所定温度とを比較し、比較結果に基づき、前記送風部の送風方向が前記所定温度を超える部分の方に向くように制御し、
前記所定温度を超える部分の前記温度検出部による検出温度と、前記所定温度との差分に基づき、前記送風部の送風方向が前記所定温度を超える箇所の方に向くように制御し、
前記送風部は、前記プロジェクタ装置の内部の異なる箇所に設けられた複数のファンを含み、
前記複数のファンのうち１つのファンは前記光源部の周辺に設けられて、他のファンは前記光源部の周辺とは異なる位置に設けられ、
前記送風制御部は、前記他のファンの送風方向を変更し、
前記温度検出部は、
前記光源部の周辺温度を検出する第１温度検出部と、前記プロジェクタ装置の内部の前記光源部の周辺とは異なる部分の温度を検出する第２温度検出部とを含み、
前記送風制御部は、さらに、
前記温度検出部により検出された前記温度に基づき、前記送風部の送風量を変更し、所定温度を超える部分の前記温度検出部による検出温度と、前記所定温度との差分に基づき、前記送風部の送風量を変更し、
前記送風制御部は、前記送風部の送風方向の変更を、前記送風量の変更に優先して行う、プロジェクタ装置。
【請求項２】
光源部と、送風部とを備えるプロジェクタ装置であって、
前記プロジェクタ装置の内部の複数部分の温度を検出する温度検出部と、
前記温度検出部により検出された前記温度に基づき、前記送風部の送風方向を変更する送風制御部と、をさらに備えるプロジェクタ装置。
【請求項３】
前記送風制御部は、
前記温度検出部により検出された前記複数部分の温度と所定温度とを比較し、比較結果に基づき、前記送風部の送風方向が前記所定温度を超える部分の方に向くように制御する、請求項２に記載のプロジェクタ装置。
【請求項４】
前記所定温度を超える部分の前記温度検出部による検出温度と、前記所定温度との差分に基づき、前記送風部の送風方向が前記所定温度を超える箇所の方に向くように制御する、請求項３に記載のプロジェクタ装置。
【請求項５】
前記送風部は、前記プロジェクタ装置の内部の異なる箇所に設けられた複数のファンを含み、
前記複数のファンのうち１つのファンは前記光源部の周辺に設けられて、他のファンは前記光源部の周辺とは異なる位置に設けられ、
前記送風制御部は、前記他のファンの送風方向を変更する、請求項２から４のいずれか１項に記載のプロジェクタ装置。
【請求項６】
前記温度検出部は、
前記光源部の周辺温度を検出する第１温度検出部を含む、請求項２から５のいずれか１項に記載のプロジェクタ装置。
【請求項７】
前記温度検出部は、
前記プロジェクタ装置の内部の前記光源部の周辺とは異なる部分の温度を検出する第２温度検出部を含む、請求項６に記載のプロジェクタ装置。
【請求項８】
前記送風制御部は、さらに、
前記温度検出部により検出された前記温度に基づき、前記送風部の送風量を変更する、請求項２に記載のプロジェクタ装置。
【請求項９】
所定温度を超える部分の前記温度検出部による検出温度と、前記所定温度との差分に基づき、前記送風部の送風量を変更する、請求項８に記載のプロジェクタ装置。
【請求項１０】
前記送風制御部は、
前記送風部の送風方向の変更を、前記送風量の変更よりも優先して行う、請求項８または９に記載のプロジェクタ装置。
【請求項１１】
光源部と、送風部とを備えるプロジェクタ装置の送風制御方法であって、
前記プロジェクタ装置の内部の複数部分の温度を検出する温度検出ステップと、
前記温度検出ステップにより検出された前記温度に基づき、前記送風部の送風方向を変更する送風制御ステップと、を備え、
前記送風制御ステップは、さらに、
前記温度検出ステップにより検出された前記温度に基づき、前記送風部の送風量を変更する送風量変更ステップを含み、
前記送風制御ステップでは、
前記送風部の送風方向の変更を、前記送風量の変更よりも優先して行う、プロジェクタ装置の送風制御方法。
【請求項１２】
光源部と、送風部とを備えるプロジェクタ装置の送風制御方法であって、
前記プロジェクタ装置の内部の複数部分の温度を検出する温度検出ステップと、
前記温度検出ステップにより検出された前記温度に基づき、前記送風部の送風方向を変更する送風制御ステップと、を備えるプロジェクタ装置の送風制御方法。
【請求項１３】
前記送風制御ステップは、さらに、
前記温度検出ステップにより検出された前記温度に基づき、前記送風部の送風量を変更する送風量変更ステップを含む、請求項１２に記載のプロジェクタ装置の送風制御方法。
【請求項１４】
前記送風制御ステップでは、
前記送風部の送風方向の変更を、前記送風量の変更よりも優先して行う、請求項１３に記載のプロジェクタ装置の送風制御方法。
【発明の詳細な説明】
【技術分野】
【０００１】
この発明は光源からの照射光を用いて像をスクリーンなどに投影するプロジェクタ装置およびプロジェクタ装置の送風制御方法に関し、特に、光源の発熱により内部の温度上昇の抑制をするためのファンを有したプロジェクタ装置およびプロジェクタ装置の送風制御方法に関する。
【背景技術】
【０００２】
従来、プロジェクタ装置では、稼動中には光源ランプが点灯する。光源ランプは投影のための十分な明るさを得るために高圧水銀ランプなどのように、発光点温度は約１０００度および駆動温度は約４００度というように光照射時の発熱温度が高いものが用いられている。そのため、プロジェクタ装置が稼動中は、装置内部の温度がかなり高くなり（駆動温度は約４００度の場合には内部温度は７０−８０度となる）、装置内部の基板に搭載されたＩＣ（Integrated Circuit)チップの回路の誤動作が生じる、また装置の筐体が熱伝導により熱くなり、ユーザが筐体を触ることができなくなるという不都合があった。したがって、装置内部を均一に冷却したいとの要望があった。
【０００３】
このような不都合を解消するために、プロジェクタの装置内部の冷却のための技術が、特許文献１と２により示される。特許文献１では、プロジェクタ装置の電源スイッチの操作に応じて、内部のファンの羽の回転を正転または逆転したり、ファン自体の方向を変えたり、内部の空気の流れを稼動制御される遮蔽板で調整することにより、短時間で光源ランプの温度を冷却する技術が提供されている。
【０００４】
また、特許文献２においては、冷却ファンの送風方向を外部からのユーザの切替え操作に従い切換えるようにして、ランプの加熱を防ぐように構成されている。
【特許文献１】特開２００４−２４５９０３号公報
【特許文献２】特開平７−１１４１０４号公報
【発明の開示】
【発明が解決しようとする課題】
【０００５】
上述した従来の技術によれば、プロジェクタ装置において、ファンを用いて光源部の冷却をすることが可能であるけれども、ファンの向く方向およびファンの回転を、プロジェクタ装置内の温度に基づき制御するとの構成は示されていない。したがって、前述したように、装置内部を均一に冷却するとの要望には応えることはできない。
【０００６】
また冷却を優先するあまりにファンの回転速度を上げると騒音も増加して好ましくない。したがって、装置内の温度を均一に冷却しながらも騒音を抑制することが求められている。
【０００７】
それゆえにこの発明の目的は、装置内の温度に基づき送風方向を変更するプロジェクタ装置およびプロジェクタ装置の送風制御方法を提供することである。
【０００８】
この発明の他の目的は、送風に伴う騒音を抑制しながら装置内を冷却するプロジェクタ装置およびプロジェクタ装置の送風制御方法を提供することである。
【課題を解決するための手段】
【０００９】
この発明のある局面に従う光源部と、送風部とを備えるプロジェクタ装置は、当該装置の内部の複数部分の温度を検出する温度検出部と、温度検出部により検出された温度に基づき、送風部の送風方向を変更する送風制御部と、をさらに備える。
【００１０】
送風制御部は、温度検出部により検出された複数部分の温度と所定温度とを比較し、比較結果に基づき、送風部の送風方向が所定温度を超える部分の方に向くように制御し、所定温度を超える部分の温度検出部による検出温度と、所定温度との差分に基づき、送風部の送風方向が所定温度を超える箇所の方に向くように制御する。
【００１１】
さらに、送風部は、プロジェクタ装置の内部の異なる箇所に設けられた複数のファンを含み、複数のファンのうち１つのファンは光源部の周辺に設けられて、他のファンは光源部の周辺とは異なる位置に設けられる。送風制御部は、前記他のファンの送風方向を変更し、温度検出部は、光源部の周辺温度を検出する第１温度検出部と、プロジェクタ装置の内部の光源部の周辺とは異なる部分の温度を検出する第２温度検出部とを含む。
【００１２】
送風制御部は、さらに、温度検出部により検出された温度に基づき、送風部の送風量を変更し、所定温度を超える部分の温度検出部による検出温度と、所定温度との差分に基づき、送風部の送風量を変更する。送風制御部は、送風部の送風方向の変更を、送風量の変更よりも優先して行なう。
【００１３】
この発明の他の局面に従う光源部と、送風部とを備えるプロジェクタ装置は、プロジェクタ装置の内部の複数部分の温度を検出する温度検出部と、温度検出部により検出された温度に基づき、送風部の送風方向を変更する送風制御部と、をさらに備える。
【００１４】
好ましくは、送風制御部は、温度検出部により検出された複数部分の温度と所定温度とを比較し、比較結果に基づき、送風部の送風方向が所定温度を超える部分の方に向くように制御する。
【００１５】
好ましくは、所定温度を超える部分の温度検出部による検出温度と、所定温度との差分に基づき、送風部の送風方向が所定温度を超える箇所の方に向くように制御する。
【００１６】
好ましくは、送風部は、プロジェクタ装置の内部の異なる箇所に設けられた複数のファンを含み、複数のファンのうち１つのファンは光源部の周辺に設けられて、他のファンは光源部の周辺とは異なる位置に設けられ、送風制御部は、他のファンの送風方向を変更する。
【００１７】
好ましくは、温度検出部は、光源部の周辺温度を検出する第１温度検出部を含む。
好ましくは、温度検出部は、プロジェクタ装置の内部の光源部の周辺とは異なる部分の温度を検出する第２温度検出部を含む。
【００１８】
好ましくは、送風制御部は、さらに、温度検出部により検出された温度に基づき、送風部の送風量を変更する。
【００１９】
好ましくは、所定温度を超える部分の温度検出部による検出温度と、所定温度との差分に基づき、送風部の送風量を変更する。
【００２０】
好ましくは、送風制御部は、送風部の送風方向の変更を、前記送風量の変更よりも優先して行なう。
【００２１】
この発明のさらに他の局面に従う光源部と、送風部とを備えるプロジェクタ装置の送風制御方法は、プロジェクタ装置の内部の複数部分の温度を検出する温度検出ステップと、温度検出ステップにより検出された温度に基づき、送風部の送風方向を変更する送風制御ステップと、を備える。
【００２２】
送風制御ステップは、さらに、温度検出ステップにより検出された温度に基づき、送風部の送風量を変更する送風量変更ステップを含む。送風制御ステップでは、送風部の送風方向の変更を、送風量の変更よりも優先して行なう。
【００２３】
この発明のさらに他の局面に従う光源部と、送風部とを備えるプロジェクタ装置の送風制御方法は、プロジェクタ装置の内部の複数部分の温度を検出する温度検出ステップと、温度検出ステップにより検出された温度に基づき、送風部の送風方向を変更する送風制御ステップと、を備える。
【００２４】
好ましくは、送風制御ステップは、さらに、温度検出ステップにより検出された温度に基づき、送風部の送風量を変更する送風量変更ステップを含む。
【００２５】
好ましくは、送風制御ステップでは、送風部の送風方向の変更を、送風量の変更よりも優先して行なう。
【発明の効果】
【００２６】
発明によれば、温度検出部により検出された装置内部の複数部分の温度に基づき、送風制御部により送風方向を変更することができる。
【００２７】
発明によれば、送風量の変更よりも送風方向の変更のほうが優先的に行われるので、送風量の変更に伴う騒音の発生を抑制するようにして、送風制御することができる。
【発明を実施するための最良の形態】
【００２８】
以下、この発明の実施の形態について図面を参照して詳細に説明する。
図１にこの発明の実施の形態に係るプロジェクタ装置の内部構成が概略的に示される。本実施の形態に係るプロジェクタ装置１は、ＤＬＰ（（Digital Light Processing）登録商標）方式を採用したプロジェクタ装置である。プロジェクタ装置１には、各種回路およびＩＣチップが搭載された基板２、投影用の光を照射する光源部のランプ３、レンズ４、６および９、カラーホイール５、反射ミラー７、ＤＭＤ（（Digital Micromirror Device）登録商標）８、ならびに冷却のための送風部であるファン１３および１４が筐体３０に内蔵される。さらに、筐体３０の側面には、外部に音声を出力可能なようにスピーカ４０が設けられ、また、レンズ９は筐体３０の外部に突出して設けられている。
【００２９】
レンズ９から出力された投影のための照射光はプロジェクタ装置１の前方に設けられたスクリーン１０に照射されて、スクリーン１０に映像を映し出す。また、筐体３０は、スクリーン１０とは反対側（プロジェクタ装置１の後方）において吸気口３４、側面において吸気口３２および３３ならびにスクリーン１０と対面する前方面（レンズ９が設けられた面）において排気口３１が設けられる。
【００３０】
吸気口３２、３３および３４からファン１３と１４の回転により装置内部に取り込まれた気流は、装置内部を通過して排気口３１から送出される。プロジェクタ装置１内部では、空気が、プロジェクタ装置１内部に設けられた比較的大きなサイズのファン１３およびファン１３よりも小さいサイズのファン１４の運転により送風されながら巡回する。排気口３１および吸気口３２、３３および３４は、筐体３０の面にスリットを形成することにより構成されている。排気口３１はレンズ９から照射される光の光路を妨げないように、たとえばそのスリットはレンズ９とは反対側に傾斜して形成される。
【００３１】
ランプ３は白色光を照射する、たとえば高圧水銀ランプなどであり、その発光点温度および駆動温度はかなり高く、その周辺は高温となる。したがって、ファン１３はランプ３付近に設けられることでランプ３の周囲を冷却して、その周辺温度を下げる。また、基板２上には、ランプ３の周囲温度を測定するために、ランプ３に接近してランプ３の周辺温度を検出する温度センサ１１が搭載されて、また基板２上のランプ３から離れた端部（温度センサ１１から比較的離れた位置）には、その周辺温度を測定するための温度センサ１２が搭載される。
【００３２】
ＤＬＰ方式のプロジェクタ装置１は、ＤＭＤ８を使ってスクリーン１０に像を投影する。ＤＭＤ８は、微小の可動ミラーを敷き詰めている半導体スイッチで構成される。ＤＭＤ８はＳＲＡＭ（Static Random Access Memory）の１セル毎の上に形成された微小ミラーは、オン、オフ状態で±１０度の傾きを有する。ＤＭＤ８の各ミラーのオン／オフのスイッチングスピードは基板２に搭載された図示のないマイクロプロセッサにより制御される。ミラーに入射した光の反射は、１ミラーごとにデジタル制御される。スイッチングレートを変えることにより、ＤＭＤ８からの反射光にデジタルグレースケールが得られる。
【００３３】
動作において、光源のランプ３から出力された光は、レンズ４で集束して、カラーホイール５に照射される。カラーホイール５はＲＧＢ（Red、Green、Blue）のロータリーカラーフィルタであって、その回転周期は、基板２のマイクロプロセッサから与えられる信号により制御される。カラーホイール５を透過した光がレンズ６を介してミラー７に入射し、ミラー７において反射することにより、ＤＭＤ８に入射する。ＤＭＤ８では、ＲＧＢ各色光に同期したデータがＳＲＡＭに書込まれ、ミラーで反射された光束はレンズ９を介して外部のスクリーン１０に投影されて、ここにおいて画像を形成する。
【００３４】
図２（Ａ）と（Ｂ）には、ファン１３と１４の構成が示される。ファン１３は、羽１５１とブラケット１６１とが一体化して構成されている。ファン１３にはモータ部１８１が接続される。モータ部１８１は羽１５１を回転させるためのファンモータ２０１を有する。ファンモータ２０１の回転に連動して羽１５１が回転する。
【００３５】
図２（Ｂ）のファン１４は、羽１５２およびブラケット１６２が一体化して構成されており、ブラケット１６２はターンテーブル１７２上に載置されている。ターンテーブル１７２は回転軸１９２を介してモータ部１８２に接続される。モータ部１８２はファンモータ３０１とテーブルモータ３０２を備える。ファンモータ３０１の回転に連動して羽１６１が回転する。テーブルモータ３０２の回転動作は、回転軸１９２を介してターンテーブル１７２に伝達される。これにより、テーブルモータ３０２の回転に連動してターンテーブル１７２が回転軸１９２を中心に同心円状に回転可能である。
【００３６】
なお、ターンテーブル１７２を回転させるためにモータ、たとえばステッピングモータを適用するが、これに限定されず、ソレノイドを利用して回転するようにしてもよい。
【００３７】
このように、ファン１３を比較的に大きなサイズのファンにすることで、プロジェクタ装置１の動作時にかなり高温となるランプ３付近を効率よく冷却することが可能となる。  
【００３８】
図３には、本実施の形態に係るプロジェクタ装置１の基板２に搭載されるマイクロプロセッサとその周辺の回路構成が示される。マイクロプロセッサはＣＰＵ（Central Processing Unit）２１とメモリ２２を含む。ＣＰＵ２１には、スピーカ４０へ音声を出力するための音声ＩＣ２６、温度センサ１１および１２、ユーザが指示を入力するために操作するキー、スイッチなどからなる操作部２０、外部入力部２３、計時動作するためのタイマ２４、メモリ２２および投影部２５が接続される。
【００３９】
投影部２５は、前述したカラーホイール４、ＤＭＤ８およびランプ３を有する。タイマ２４は、計時した時間データをＣＰＵ２１に与える。温度センサ１１は、周囲温度を計測して、計測結果である温度データＴ１をＣＰＵ２１に与える。温度センサ１２は、同様に周囲温度を計測して、温度データＴ２をＣＰＵ２１に与える。外部入力部２３は、外部装置（たとえば、パーソナルコンピュータなど）から与えられる画像データを入力して、ＣＰＵ２１に与える。ＣＰＵ２１は、画像データに基づき、投影部２５のカラーホイール４およびＤＭＤ８を前述したようにデジタル制御する。ランプ３はＣＰＵ２１により投影開始が指示されると点灯して光を出力し、投影終了が指示されると消灯して光の出力を停止する。プロジェクタ装置１の各部には図示のない外部の商用電源または内蔵する図示のないバッテリを介して動作のための電力が供給される。操作部２０を介して電源オンの操作の信号が入力されると、ＣＰＵ２１は各部に電力の供給を開始するように制御するとともに、ランプ３に対して点灯開始の指示信号を与える。また、操作部２０を介して電源オフの操作の信号を入力すると、各部への電力の供給を停止するように制御するとともに、ランプ３に対して消灯の指示を与える。
【００４０】
図４には、本実施の形態に係るプロジェクタ装置１のファン１３と１４の運転制御のための機能構成が示される。図４においてプロジェクタ装置１は、ＣＰＵ２１に対応の制御部２４５、タイマ２４に対応の計時部２４１、温度センサ１１と１２に対応の温度検出部２４２、モータ部１８１と１８２に駆動信号を与えてモータの駆動を制御するためのモータ駆動制御部２４３、各種データを格納するメモリ２２を有する。
【００４１】
制御部２４５はファン１３と１４の羽１５１と１６１の回転を制御するための大ファン回転制御部２７および小ファン回転制御部２８、ファン１４のターンテーブル１７２の回転を制御するための小ファンテーブル回転制御部２９、投影部２５を制御するための投影制御部２５１および警告部４０を含む。制御部２４５のこれら各部は、メモリ２２の各種データおよび外部から与えられるデータに基づき実行されるプログラムを用いて実現される。これらのプログラムは、メモリ２２に予め格納されており、ＣＰＵ２１が、これら各部に対応のプログラムをメモリ２２から読出し実行することにより、各部の機能が実現される。
【００４２】
投影制御部２５１は、外部入力部２３から与えられる画像データＤＴに基づき、投影部２５のカラーホイール４およびＤＭＤ８を、同期を取りながら制御している。したがって、スクリーン１０には画像データＤＴに基づく映像が映し出される。
【００４３】
メモリ２２には、プロジェクタ装置１内部の基板２における各種回路の正常動作を保証するための限界となる最大の平均温度を示す所定平均温度データＭＴ、ファン１３と１４の羽の回転速度の最大値を単位時間当たりの回転数で示す回転速度Ｍａｘデータ３０１Ａおよび３０１Ｂ、ファン１３と１４の羽１５１と１５２の現在の単位時間当たりの回転数で示す現在の回転速度データ３０３Ａおよび３０３Ｂ、ファン１３のターンテーブル１７２の現在の回転角度を示す現在の回転角度データ３０４、調整用テーブルＴＢ１およびＴＢ２、ターンテーブル１７２の回転に関する角度増分データ３０５Ａおよび３０５Ｂ、ファン１３と１４の初期の回転速度データ３０６Ａおよび３０６Ｂ、ターンテーブル１７２の初期の回転角度を示す初期回転角度データ３０７、ファン１３と１４の回転速度の増分を単位時間当たりの回転速度の増分で示す小ファン回転速度増分データ３０８および大ファン回転速度増分データ３０９、ならびに温度センサ方向の回転角度データ３１０Ａと３１０Ｂが格納される。
【００４４】
温度センサ方向の回転角度データ３１０Ａは、ターンテーブル１７２を、初期の回転角度から温度センサ１１の方向にファン１４を向けるために回転させるための角度を示す。同様に、温度センサ方向の回転角度データ３１０Ｂは、ターンテーブル１７２を、初期の回転角度から温度センサ１２の方向にファン１４を向けるために回転させるための角度を示す。
【００４５】
角度増分データ３０５Ａと３０５Ｂは、ターンテーブル１７２の回転角度に関する増分を示し、特に、角度増分データ３０５Ａはファン１４からの送風を温度センサ１１（ランプ３付近）に出力するためのターンテーブル１７２の回転角度（角度、回転方向）を示し、角度増分データ３０５Ｂはファン１４からの送風を温度センサ１２方向に出力するためのターンテーブル１７２の回転角度（角度、回転方向）を示す。
【００４６】
メモリ２２における現在の回転速度データ３０３Ａおよび３０３Ｂ、ならびに現在の回転角度データ３０４は、制御部２４５が、モータ駆動制御部２４３から、モータ駆動制御部２４３によりモータ部１８１と１８２に与えられる対応の電圧レベルを逐次入力してメモリ２２に格納することで逐次更新される。これらデータを除く他のデータは、プロジェクタ装置１の工場出荷時などにメモリ２２に予め格納されるデータである。
【００４７】
図５（Ａ）と（Ｂ）には調整用テーブルＴＢ１とＴＢ２が示される。図５（Ａ）を参照して大きなファン１３用の調整用テーブルＴＢ１には、温度データＴ１とＴ２の差分を示す温度差データΔＴ１、ΔＴ２、ΔＴ３、…、ΔＴｉ…ΔＴｎを用いて示される各レンジに対応して、ファン１３の羽１５１の回転速度を示すファン回転速度データ３３３が格納されている。ファン１３の羽１５１の回転速度は、ファンモータ２０１にモータ駆動制御部２４３から与えられる駆動用の電圧のレベルに応じて決定される。したがって、図４に示したメモリ２２の初期回転速度データ３０６Ａならびに３０６Ｂは、小ファン回転速度増分データ３０８および大ファン回転速度増分データ３０９は、電圧のレベルを用いて示される。
【００４８】
図５（Ｂ）には、小さいファン１４用の調整用テーブルＴＢ２の内容例が示される。調整用テーブルＴＢ２には、前述と同様に温度差データΔＴが示す温度差のレンジのそれぞれに対応して、テーブル１７２の回転角度を示すテーブル回転角度データ３３０およびファン１４の羽１５２の回転速度を示すファン回転速度データ３３１が関連付けて格納されている。ファン回転速度データ３３１は、羽１５２の回転を制御するファンモータ３０１にモータ駆動制御２４３を介して供給される電圧レベルの増分を用いて示される。テーブル回転角度データ３３０は、回転軸１９２を中心に同心円状に回転するターンテーブル１７２の回転角度を、テーブルモータ３０２に供給される電圧レベルを用いて示される。温度差データΔＴに応じてテーブルモータ３０２に供給される電圧レベルの増分（または減少分）が対応付けられているので、テーブルモータ３０２に供給される電圧を温度差データΔＴに応じた電圧レベルだけ増加または減少させることにより、ターンテーブル１７２の回転角度（量と方向）を決定することができる。
【００４９】
図６〜図１１を参照して、プロジェクタ装置１内の温度に基づくファン１３と１４の駆動制御について説明する。図１１（Ａ）〜（Ｃ）はファン１４の向きの変化を模式的に示しており、図中の矢印はファン１３と１４による基板２方向の風向きを示す。ファン１３はランプ３付近を優先的に冷却するために、ファン１４とは異なりテーブルなどを介して方向の回転はされず、向きは固定であると想定する。
【００５０】
ここでは、プロジェクタ装置１内の温度に基づきファンの送風方向および送風量を決める回転速度（単位時間当たりの回転数）を変更しているが、冷却（温度の低下させる）効果を得るには送風方向のみを切替えるとしてもよい。
【００５１】
ユーザにより操作部２０を介して電源オンの操作がされると、ＣＰＵ２１が当該操作による指令信号を入力して図６の処理を開始する。なお、ターンテーブル１７２は、プロジェクタ装置１が電源オフされた場合には、初期状態の回転角度に戻されると想定する。したがって、初期状態においてはファン１３と１４は、たとえば図１１（Ａ）のように基板２の方向に並行して向けられる。
【００５２】
まず、電源オンされると、ＣＰＵ２１は、初期状態の設定処理を行なう（ステップＳ１）。初期状態の設定においては、各部に電力が供給されるとともに、ランプ３は点灯し、ファンモータ３０１と２０１には、小ファン回転制御部２８と大ファン回転制御部２７によりメモリ２２から読出された初期回転速度データ３０６Ａと３０６Ｂが示すレベルの電圧信号がモータ駆動制御部２４３を介して与えられる。これにより、ファン１３とファン１４は、初期回転速度データ３０６Ａと３０６Ｂに応じた回転速度で回転を開始する。
【００５３】
次に、制御部２４５は、モータ駆動制御部２４３を介して、ファンモータ２０１および３０１、ならびにテーブルモータ３０２に供給されている電圧信号のレベルを取得し、それをメモリ２２に現在の回転速度データ３０３Ａおよび３０３Ｂならびに現在の回転角度データ３０４として格納する（ステップＳ３）。その後、温度検出部２４２により、温度センサ１１と１２によって検出されている温度データＴ１とＴ２を入力する（ステップＳ５）。
【００５４】
次に、制御部２４５は、入力した温度データＴ１およびＴ２と、メモリ２２から読出した所定平均温度データＭＴとを比較する（ステップＳ７）。比較において、Ｔ１≧ＭＴかつＴ２≧ＭＴの条件が成立するか否かを判定する。この判定結果、当該条件が成立すると判定されると（ステップＳ７でＹＥＳ）、後述する第１処理（ステップＳ９）が実行される。その後、ユーザが操作部２０を操作して電源オフ操作がされたか否かを判定する（ステップＳ１１）。電源オフ操作がされたと判定されると、一連の処理は終了するが、電源オフ操作されていないと判定されると（ステップＳ１１でＮＯ）、ステップＳ３の処理に戻り、以降の処理を同様に繰返す。
【００５５】
一方、ステップＳ７の条件が成立しないと判定されると（ステップＳ７でＮＯ）、ステップＳ１３以降の処理が実行される。
【００５６】
ステップＳ１３においては、ＣＰＵ２１はＴ１≧ＭＴかつＴ２＜ＭＴが成立するか否かを判定する。当該条件が成立すると判定されると（ステップＳ１３でＹＥＳ）、後述する第２処理が実行される（ステップＳ２１）。その後、前述したステップＳ１１の処理が実行される。
【００５７】
一方、ステップＳ１３の条件が成立しないと判定されると（ステップＳ１３でＮＯ）、制御部２４５はＴ１＜ＭＴかつＴ２≧ＭＴの条件が成立するか否かを判定する（ステップＳ１５）。当該条件が成立すると判定されると（ステップＳ１５でＹＥＳ）、後述する第３処理が実行されて（ステップＳ２３）、その後、ステップＳ１１の処理が前述と同様に実行される。
【００５８】
ステップＳ１５の条件が成立しないと判定されると（ステップＳ１５でＮＯ）、回転速度リセット処理（ステップＳ１７）、回転方向リセット処理（ステップＳ１９）を実行して、前述したステップＳ１１以降の処理を同様に繰返す。
【００５９】
ステップＳ１７の回転速度リセット処理およびステップＳ１９の回転方向リセット処理では、前述した初期設定処理（ステップＳ１）と同様に、ファン１３と１４の羽１５１と１５２の回転速度がメモリ２２に格納された初期回転速度データ３０６Ａおよび３０６Ｂに従う回転速度となるよう制御され、またターンテーブル１７２は、ファン１４が図１１（Ａ）で示す方向に向くように回転角度が制御される。
【００６０】
つまり、小ファン回転制御部２８および大ファン回転制御部２７は、メモリ２２から読出した現在の回転速度データ３０３Ａおよび３０３Ｂと初期回転速度データ３０６Ａと３０６Ｂの差分に従い、モータ駆動制御部２４５を介してファンモータ３０１と２０１を制御されることにより、羽１５１と１５２の回転速度は初期回転速度となるように制御される。また、同様にターンテーブル１７２は、現在の回転角度データ３０４と初期回転角度データ３０７が示す差分に基づいてテーブルモータ３０２を介して回転角度および方向が制御されることにより、ターンテーブル１７２の回転角度が図１１（Ａ）の状態である初期回転角度データ３０７を示すように制御される。
【００６１】
このように、温度センサ１１と１２から検出した温度データＴ１とＴ２が示す温度が、所定平均温度データＭＴが示す温度以上を示す場合にはファン１３と１４の回転による冷却能率を上げる必要はないので、ファン１３と１４の回転速度は初期回転速度データ３０６Ａと３０６Ｂの回転速度を示すように制御される。これにより、ファン１３と１４を比較的に低速の回転とすることができて過剰な電力消費を回避できるとともに、羽１５１と１５２の回転による騒音量も少なくすることができる。また、ファン１３と１４の向きは図１１（Ａ）に示されるようにされて、プロジェクタ装置１内の温度を均一に冷やすような風向きとなるように整えられる。
【００６２】
図７を参照して、第１処理（ステップＳ９）について説明する。
まず、制御部２４５は、Ｔ１≧Ｔ２の条件が成立するか否かを判定する（ステップＲ１）。条件が成立しない（ステップＲ１でＮＯ）、すなわちランプ３周辺の温度よりも他の部位（温度センサ１２が設けられた部位）の温度が高いと判定すると、小ファンテーブル回転制御部２９は、ファン１４の向きを変更するか否かを判定する（ステップＲ３）。つまり、ファン１４が温度センサ１２の方向に向いているか否かを判定する。具体的には、現在の回転角度データ３０４と温度センサ方向の回転角度データ３１０Ｂをメモリ２２から読出し、両者の回転角度が一致しているか否かにより判定する。一致している場合には、ファン１４は既に温度センサ１２の方向を向いており向きを変更する必要はないので（ステップＲ３でＮＯ）、後述のステップＲ１１の処理に移行する。
【００６３】
一方、両者の回転角度が一致しておらずファン１３が温度センサ１２の方に向いていないために向きの変更が必要と判定されると（ステップＲ３でＹＥＳ）、小ファンテーブル回転制御部２９は、前述したようにターンテーブル１７２の回転角度を初期状態とする、すなわち図１１（Ａ）の状態に戻す（ステップＲ４）。その後、小ファンテーブル回転制御部２９は、検索／テーブル回転制御処理を行なう。つまり、温度データＴ１とＴ２が示す温度の差分である温度差データΔＴを求め（ステップＲ５）、温度差データΔＴに基づきメモリ２２の調整用テーブルＴＢ２を検索して（ステップＲ７）、当該温度差データΔＴが該当するレンジに対応のテーブル回転角度データ３３０を読出し、モータ駆動制御部２４３を介してモータ部１８２へ与える。モータ部１８２のテーブルモータ３０２は読出された回転角度データ３３０が示す電圧レベルに基づき回転するので、当該回転に連動してターンテーブル１７２は回転し、その結果、ファン１４は現在の向きから温度差データΔＴに応じた角度だけ温度センサ１２の方向へ向くように制御される（ステップＲ９）。このような検索／テーブル回転制御処理により、たとえばファン１４は図１１（Ａ）から図１１（Ｃ）の状態になり送風の方向は変化する。
【００６４】
その後、小ファン回転制御部２８は、ファン１４の現在の回転速度データ３０３Ｂをメモリ２２から読出し、回転速度Ｍａｘデータ３０１Ｂと比較して、ファン１４の回転速度が最大回転速度に達しているか否かを判定する（ステップＲ１１）。ファン１４の回転速度が最大回転速度に達していると判定されると（ステップＲ１１でＹＥＳ）、後述するステップＲ１９以降の処理に移るが、そうでないと判定されると（ステップＲ１１でＮＯ）、ステップＲ１３に移行して、検索／小ファン回転制御処理を行なう。つまり、小ファン回転制御部２８は、温度データＴ１とＴ２とに基づき温度差データΔＴを求め（ステップＲ１３）、求めた温度差データΔＴに基づきメモリ２２の調整用テーブルＴＢ２を検索して、当該温度差データΔＴに該当のレンジに対応のファン回転速度データ３３１を読出し（ステップＲ１５）、読出したファン回転速度データ３３１に基づくレベルの電圧信号を、モータ駆動制御部２４３を介してモータ部１８２へ供給する。これにより、ファン１４の回転速度は温度差データΔＴに応じた分だけ増加する（ステップＲ１７）。このような検索／小ファン回転制御処理の後、図６の元の処理に戻る。
【００６５】
一方、ステップＲ１９においては、大ファン回転制御部２７は、ファン１３の回転速度が最大回転速度に達しているか否かを、現在の回転速度データ３０３Ａと回転速度Ｍａｘデータ３０１Ａとをメモリ２２から読出して両者を比較することにより判定する。
【００６６】
ファン１３の回転速度が、回転速度Ｍａｘデータ３０１Ａが示す最大回転速度以上でない場合には（ステップＲ１９でＮＯ）、検索／大ファン回転制御処理が行われる。つまり、大ファン回転制御部２７は、温度差データΔＴを求めて（ステップＲ２３）、求めた温度差データΔＴに基づき調整用テーブルＴＢ１を検索し、該当するレンジに対応のファン回転速度データ３３３を読出し（ステップＲ２５）、読出したファン回転速度データ３３３が示すレベルの電圧信号を、モータ駆動制御部２４３を介してモータ部１８１に与える。これにより、ファン１３の回転速度は温度差データΔＴに応じた分だけ速くなる（ステップＲ２７）。このような検索／大ファン回転制御処理の後、図６の処理に戻る。
【００６７】
一方、現在の回転速度データ３０３Ａが示す回転速度が、回転速度Ｍａｘデータ３０１Ａが示す回転速度以上を示す場合には（ステップＲ１９でＹＥＳ）、警告部４０は、音声ＩＣ２６を制御して、スピーカ４０から警告のメッセージ（温度が高すぎる旨のメッセージ）を出力させる（ステップＲ２１）。この警告を発した後は、当該処理を終了する。
【００６８】
このようにランプ１３付近の温度センサ１１と、温度センサ１２とによる計測温度が、所定平均温度データＭＴが示す温度以上であり、かつランプ３付近の温度よりも温度センサ１２付近の温度が高い場合には、温度センサ１２付近を効率よく冷却して、以って装置内部の温度を速やかに低下させるために、ファン１４は温度センサ１２付近に送風するような向きに変更されて、また、両ファンの回転速度は最大となるように制御される。これにより装置内部の温度は均一に、かつ速やかに低下する。
【００６９】
なお、ステップＲ９のファン１４の方向変更後は、直ぐにファン１４または１３の回転速度の制御がされるとしたが、次のようにしてもよい。つまり、ステップＲ９の実行後の計時部２４１が計時する所定時間経過後にＴ１＜ＭＴかつＴ２＜ＭＴとの条件が成立するか、すなわち装置内部の温度が所定平均温度よりも低くなったと判定されたら図６の元の処理に戻るようにし、条件が成立しない、すなわち装置内部の温度は所定平均温度以上を示す場合には、ファン１４の方向変更だけでは十分な冷却効果が得られないので、ステップＲ１１以降のファンの回転速度を上げる処理に移行するようにしてもよい。
【００７０】
さて、ステップＲ２１において警告音声が出力された場合には、ユーザは、何らかの対応をするであろう。たとえば、操作部２０を操作して電源をオフ操作するかもしれない。電源をオフ操作するとランプ３は消灯するので、プロジェクタ装置１内の温度は低下する。
【００７１】
また、警告を発した後は直ちに、または、警告後に計時部２４１で計時する所定期間内にユーザにより電源オフの操作がされないときには、高温による基板２上の回路等の損傷または筐体３０の損傷を防ぐために、制御部２４５は、強制的に電源オフするようにしてもよい。
【００７２】
ステップＲ１に戻り、温度データＴ１≧温度データＴ２の条件が成立すると判定された場合には（ステップＲ１でＹＥＳ）、図８の処理に移行して、大ファン回転制御部２７は、現在の回転速度データ３０３Ａと回転速度Ｍａｘデータ３０１Ａとをメモリ２２から読出し、読出した両データが示す回転速度を比較して、ファン１３の現在の回転速度が最大回転速度であるか否かを判定する（ステップＲ２９）。ファン１３の回転速度が最大回転速度に達していると判定されると（ステップＲ２９でＹＥＳ）、後述のステップＲ３７の処理に移行する。
【００７３】
一方、ファン１３の回転速度が最大回転速度以上でないと判定されると（ステップＲ２９でＮＯ）、前述の検索／大ファン回転制御処理が実行される（ステップＲ３１、Ｒ３３およびＲ３５）。その後、図６の処理に戻る。
【００７４】
ステップＲ３７においては、ファン１４が温度センサＴ１の方向に向いているか否か、すなわち光源ランプ３の周囲を冷却するような送風方向となるように向けられているか否かが判定される。具体的には、小ファンテーブル回転制御部２９は、メモリ２２から読出した現在の回転角度データ３０４と温度センサ方向の回転角度データ３１０Ａとを比較し、両者が示す回転角度が一致しているか否かを判定する。一致していないと判定すると（ステップＲ３７でＮＯ）、後述のステップＲ４９の処理に移るが、一致していると判定すると、すなわちファン１４は温度センサＴ１の方向に向いていると判定されると（ステップＲ３７でＹＥＳ）、小ファン回転制御部２８は、メモリ２２から現在の回転速度データ３０３Ｂと回転速度Ｍａｘデータ３０１Ｂとを読出し、両者を比較し、両者が示す速度データが一致しているか否かを判定する（ステップＲ３９）。両者が一致しており、ファン１４は既に最大回転速度で運転されていると判定されると（ステップＲ３９でＹＥＳ）、ステップＲ４７において前述した警告の処理（ステップＲ２１を参照）が行なわれて、処理は終了する。
【００７５】
一方、ファン１４の回転速度は最大回転速度未満であると判定されると（ステップＲ３９でＮＯ）、前述の検索／小ファン回転制御処理を行なう（ステップＲ４１、Ｒ４３、Ｒ４５）。その後、図６の処理に移行する。
【００７６】
一方、ステップＲ４９においては、小ファンテーブル回転制御部２９は前述した検索／テーブル回転制御処理を行なう（ステップＲ４９、Ｒ５１、Ｒ５３）。これにより、テーブル１７２は温度差データΔＴに相当の角度だけ回転するので温度センサ１１（電源ランプ３を冷却するため）の方向に向けられる。たとえば図１１（Ｂ）の状態となる。その後、図６の処理に戻る。
【００７７】
このように、温度センサ１１のランプ３付近が高温である場合には、優先してファン１３の回転速度の上昇の処理が実行される。この場合において、ファン１３が最大回転速度にまで達している時には、ファン１４が温度センサ１１（ランプ３付近）に向けられてファン１４からの送風がランプ３付近に当たるように制御される。この場合において、ファン１４が既にランプ３付近に向けられている場合には、ファン１４の回転速度を上昇させる。このようにして、ランプ３付近はファン１３により優先して冷却されるが、その冷却が十分でない場合には、他のファン１４も用いた冷却がなされる。
【００７８】
また、ファン１４を併用する場合には、方向変更が優先してされて、それでもなお冷却が十分でない場合には回転速度を上げるようにしているので、ファン１４の回転速度上昇による騒音の発生を極力回避することができる。
【００７９】
次に、図９を参照して、図６の第２処理（ステップＳ２１）について説明する。第２処理は、温度データＴ２ではなく温度データＴ１が平均温度データＭＴを超えていてランプ３付近の急速な冷却が要求される状態において実行される。
【００８０】
まず、小ファン回転制御部２８は、ファン１４の回転速度が最大速度を示すか否かを、メモリ２２から読出した現在の回転速度データ３０３Ｂと回転速度Ｍａｘデータ３０１Ｂとを比較し判定する（ステップＴ１０）。両者の示す回転速度が等しい場合には、ファン１４の回転速度が最大速度を示しているので（ステップＴ１０でＹＥＳ）、後述するＴ２３以降の処理に移る。
【００８１】
一方、判定結果、最大回転速度に達していないと判定されると（ステップＴ１０でＮＯ）、ファン１４は温度センサ１１方向に向いているか否かをメモリ２２から読出した現在の回転角度データ３０４と温度センサ方向の回転角度データ３１０Ａとを比較照合して判定する（ステップＴ１３）。両者が示す角度が一致していないと判定されると、ファン１４は温度センサ１１の方向に向けられるように制御される。具体的には、小ファンテーブル回転制御部２９は、メモリ２２から読出した現在の回転角度データ３０４にメモリ２２から読出した角度増分データ３０５Ａを加算して更新し、更新後の回転角度データをモータ駆動制御部２４３に与える（ステップＴ１５）。これにより、モータ駆動制御部２４３は与えられる回転角度データが示すレベルの電圧信号をモータ部１８２へ与えるので、モータ部１８２のテーブルモータ３０２は与えられる電圧信号に応じて回転し、その回転に連動してテーブル１７２は温度センサ１１方向に回転し、ファン１４は温度センサ１１方向に送風されるように向けられる（ステップＴ１６）。その後、後述するステップＴ１９の処理に移る。
【００８２】
一方、ファン１４は温度センサＴ１１方向の最大角度にまで向けられていると判定されると（ステップＴ１３でＹＥＳ）、小ファン回転制御部２８は、メモリ２２から読出した現在の回転速度データ３０３Ｂをメモリ２２から読出した小ファン回転速度増分データ３０８を用いて更新し、更新後の回転速度データをモータ駆動制御部２４３に与える。これによりモータ駆動制御部２４３は与えられた回転速度データが示すレベルの電圧信号をモータ部１８２に与えるので、モータ部１８２のファンモータ３０１は与えられた電圧信号に従い回転速度を増加させるので、当該回転速度の増加に連動してファン１４の羽１５２の回転速度が増加する（ステップＴ１７）。その後、後述するステップＴ１９の処理に移る。
【００８３】
一方、ステップＴ１０においてファン１４の回転速度が既に最大の回転速度を示すと判定されると（ステップＴ１０でＹＥＳ）、小ファンテーブル回転制御部２９は、メモリ２２から読出した現在の回転角度データ３０４と温度センサ１１方向の回転角度データ３１０Ａとを比較照合して、両者が一致するか否か、すなわちファン１４が温度センサ１１の方向に向いているか否かが判定される（ステップＴ２３）。判定結果、ファン１４は温度センサ１１の方向に向いていると判定されると（ステップＴ２３でＹＥＳ）、後述するステップＴ２７の処理に移るが、ファン１４は温度センサ１１の方向に向いていないと判定されると（ステップＴ２３でＮＯ）、前述したステップＴ１５以降の処理が同様に行なわれる。
【００８４】
ステップＴ１９においては、制御部２４５は計時部２４１を用いて所定時間待機し、温度センサ１１付近、すなわちランプ３付近の温度が低下するのを待つ。
【００８５】
制御部２４５は、所定時間経過の後、温度データＴ１とメモリ２２から読出した所定平均温度データＭＴとを比較し、Ｔ１＜ＭＴの関係が成立するか否かを判定する（Ｔ２１）。成立すると判定すると（ステップＴ２１でＹＥＳ）、図６の処理に戻るが、成立していないと判定すると、すなわち温度データＴ１の温度が所定平均温度データＭＴの温度以上を示しており、ファン１４の制御だけでは冷却が十分でないと判定されると（ステップＴ２１でＮＯ）、大ファン回転制御部２７は、メモリ２２から現在の回転速度データ３０３Ａと回転速度Ｍａｘデータ３０１Ａとを読出し、両者を比較し、ファン１３の回転速度が最大回転速度を示す否かを判定する（ステップＴ２７）。判定の結果、ファン１３の回転速度は最大回転速度を示すと判定されると（ステップＴ２７でＹＥＳ）、前述した警告の処理がなされる（ステップＴ３１）。
【００８６】
一方、ファン１３の回転速度は最大回転速度を示していない、すなわち最大速度未満であると判定されると（ステップＴ２７でＮＯ）、大ファン回転制御部２７は、メモリ２２から現在の回転速度データ３０３Ａと大ファン回転速度増分データ３０９Ａとを読出し、読出した大ファン回転速度増分データ３０９Ａを用いて現在の回転速度データ３０３Ａを更新して、更新後の回転速度データをモータ制御部２４３に与える（ステップＴ２９）。これにより、モータ駆動制御部２４３は与えられる回転速度データが示すレベルの電圧信号をモータ部１８１に与えるので、ファンモータ２０１は与えられる電圧に応じて回転速度を上昇させるので、それに連動してファン１３の羽１５１の回転速度が上昇する（ステップＴ２９）。その後、図６の処理に戻る。
【００８７】
このようにランプ３付近の温度が所定平均温度よりも高い場合には、ファン１４の方向変更、または回転速度上昇によりランプ３付近の冷却を図るが、それでも冷却効果が十分でないときには、大きなファン１３の回転速度を上げるようにしているので、大きなファンの羽が高速に回転することによる騒音の発生を抑制しながら、ランプ３付近の冷却を進めることができる。
【００８８】
図１０には、図６の第３処理（ステップＳ２３）が示される。第３処理は、温度データＴ１ではなく温度データＴ２の温度が平均温度データＭＴの温度異常を示しており、基板２のランプ３側とは異なる端部付近の急速な冷却が要求される状態において実行される。
【００８９】
まず、小ファン回転制御部２８は、ファン１４の回転速度が最大速度を示すか否かを、メモリ２２から読出した現在の回転速度データ３０３Ｂと回転速度Ｍａｘデータ３０１Ｂとを比較し判定する（ステップＴ４０）。両者の示す回転速度が等しい場合には、ファン１４の回転速度が最大速度を示すので（ステップＴ４０でＹＥＳ）、後述するＴ５３以降の処理に移る。
【００９０】
一方、判定結果、最大回転速度に達していないと判定されると（ステップＴ４０でＮＯ）、ファン１４は温度センサ１２方向に向いているか否かをメモリ２２から読出した現在の回転角度データ３０４と温度センサ方向の回転角度データ３１０Ｂとを比較照合して判定する（ステップＴ４３）。両者が示す角度が一致していないと判定されると（ステップＴ４３でＮＯ）、ファン１４は温度センサ１２の方向に向けられるように制御される。具体的には、小ファンテーブル回転制御部２９は、メモリ２２から読出した現在の回転角度データ３０４にメモリ２２から読出した角度増分データ３０５Ｂを加算して更新し、更新後の回転角度データをモータ駆動制御部２４３に与える（ステップＴ４５）。これにより、モータ駆動制御部２４３は与えられる回転角度データが示すレベルの電圧信号をモータ部１８２へ与えるので、モータ部１８２のテーブルモータ３０２は与えられる電圧信号に応じて回転し、その回転に連動してテーブル１７２は温度センサ１２方向に回転し、ファン１４は温度センサ１１方向に送風されるように向けられる（ステップＴ４６）。その後、後述するステップＴ４９の処理に移る。
【００９１】
一方、ファン１４は温度センサＴ１１方向の最大角度にまで向けられていると判定されると（ステップＴ４３でＹＥＳ）、小ファン回転制御部２８は、メモリ２２から読出した現在の回転速度データ３０３Ｂをメモリ２２から読出した小ファン回転速度増分データ３０８を用いて更新し、更新後の回転速度データをモータ駆動制御部２４３に与える。これによりモータ駆動制御部２４３は与えられた回転速度データが示すレベルの電圧信号をモータ部１８２に与えるので、モータ部１８２のファンモータ３０１は与えられた電圧信号に従い回転速度を増加させるので、当該回転速度の増加に連動してファン１４の羽１５２の回転速度が増加する（ステップＴ４７）。その後、後述するステップＴ４９の処理に移る。
【００９２】
一方、ステップＴ４０においてファン１４の回転速度が既に最大の回転速度を示していると判定されると（ステップＴ４０でＹＥＳ）、小ファンテーブル回転制御部２９は、メモリ２２から読出した現在の回転角度データ３０４と温度センサ１２方向の回転角度データ３１０Ｂとを比較照合して、両者が一致するか否か、すなわちファン１４が温度センサ１２の方向に向いているか否かが判定される（ステップＴ５３）。判定結果、ファン１４は温度センサ１２の方向に向いていると判定されると（ステップＴ５３でＹＥＳ）、後述するステップＴ５７の処理に移るが、ファン１４は温度センサ１２の方向に向いていないと判定されると（ステップＴ５３でＮＯ）、前述したステップＴ４５以降の処理が同様に行なわれる。
【００９３】
ステップＴ４９においては、制御部２４５は計時部２４１を用いて所定時間待機し、温度センサ１２付近の温度が低下するのを待つ。
【００９４】
制御部２４５は、所定時間経過の後、温度データＴ２とメモリ２２から読出した所定平均温度データＭＴとを比較し、Ｔ２＜ＭＴの関係が成立するか否かを判定する（ステップＴ５１）。成立すると判定すると（ステップＴ５１でＹＥＳ）、図６の処理に戻るが、成立していないと判定すると、すなわち温度データＴ２の温度が所定平均温度データＭＴの温度以上であり、ファン１４の制御だけでは冷却が十分でないと判定されると（ステップＴ２１でＮＯ）、大ファン回転制御部２７は、メモリ２２から現在の回転速度データ３０３Ａと回転速度Ｍａｘデータ３０１Ａとを読出し、両者を比較し、ファン１３の回転速度が最大回転速度を示すか否かを判定する（ステップＴ５７）。判定の結果、ファン１３の回転速度は最大回転速度を示すと判定されると（ステップＴ５７でＹＥＳ）、前述した警告の処理がなされる（ステップＴ６１）。
【００９５】
一方、ファン１３の回転速度は最大回転速度を示さない、すなわち最大速度未満であると判定されると（ステップＴ５７でＮＯ）、大ファン回転制御部２７は、メモリ２２から現在の回転速度データ３０３Ａと大ファン回転速度増分データ３０９Ａとを読出し、読出した大ファン回転速度増分データ３０９Ａを用いて現在の回転速度データ３０３Ａを更新して、更新後の回転速度データをモータ制御部２４３に与える（ステップＴ５９）。これにより、モータ駆動制御部２４３は与えられる回転速度データが示すレベルの電圧信号をモータ部１８１に与えるので、ファンモータ２０１は与えられる電圧に応じて回転速度を上昇させるので、それに連動してファン１３の羽１５１の回転速度が上昇する（ステップＴ５９）。その後、図６の処理に戻る。
【００９６】
このように、温度データＴ１とＴ２の温度は、平均温度データＭＴの温度以上とならないようにファン１３と１４の送風が制御されるので、基板２に搭載されたＩＣ回路などが熱により誤動作することを防止できる。また、筐体３０自体が装置内部の温度上昇により熱くなるのを防止できて、ユーザが熱さにより筐体３０に触れることもできないとの事態を回避できる。
【００９７】
また、基板２上のランプ３側とは異なる端部付近の温度が所定平均温度よりも高い場合には、ファン１４の方向変更、または回転速度上昇により当該端部付近の冷却を図るが、それでも冷却効果が十分でないときには、大きなファン１３の回転速度を上げるようにしているので、大きなファンの羽が高速に回転することによる騒音の発生を抑制しながら、当該端部付近の冷却を進めることができる。
【００９８】
ここでは、ファンを２台としているが、設置スペースおよび羽の回転による騒音を考慮することで、３台以上設けることも可能である。また、温度センサも２台としているが、３台以上とすることも可能である。このようにファンの台数または温度センサの台数を増やすことで、より正確な検出温度に基づく冷却の制御が可能となる。
【００９９】
図１２（Ａ）と（Ｂ）には、本実施の形態に係るプロジェクタ装置１の外観が示されて、図１２（Ａ）は上方向から見た概観を示し、図１２（Ｂ）は前方面の右斜め方向からみた概観を示す。
【０１００】
図１のプロジェクタ装置１は画像データＤＴを外部から入力して、入力した外部データに基づきデジタル制御されることでスクリーン１０上に投影するようにしているが、図１３のような、ステージに載置された原稿面に投影ヘッドに内蔵の光源ランプによる光を照射して、原稿の文字または絵などを投影するようなオーバヘッドプロジェクタであっても、光源ランプの発熱により装置内部が高温となるのを防止するためにファンを用いている。この冷却のためのファンの回転制御および方向の制御に、本実施の形態と同様の手順を適用することができる。
【０１０１】
図１３は反射型のオーバヘッドプロジェクタであるが、原稿が載置されるステージ内部に投影用の光源ランプを設けて、当該光源からの照射光を原稿の裏面から当てて透過光により投影する透過型のオーバヘッドプロジェクタであっても本実施の形態と同様の手順を適用できる。
【０１０２】
また、原稿載置用のステージが設けられている本体部にランプおよび投影用のレンズを内蔵して、本体部から直接にスクリーンに原稿の画像を投影するようにしたヘッドレスタイプのプロジェクタであっても、本実施の形態と同様の手順を適用できる。
【０１０３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１０４】
【図１】この発明の実施の形態に係るプロジェクタ装置の内部構成が概略的に示す図である。
【図２】（Ａ）と（Ｂ）には、本実施の形態に係るファンの構成を示す図である。
【図３】本実施の形態に係るマイクロプロセッサとその周辺の回路構成を示す図である。
【図４】本実施の形態に係るファンの運転制御のための機能構成図である。
【図５】（Ａ）と（Ｂ）は本実施の形態に係る調整用テーブルを示す図である。
【図６】本実施の形態に係る全体処理フローチャートである。
【図７】本実施の形態に係る第１処理のフローチャートである。
【図８】本実施の形態に係る第１処理のフローチャートである。
【図９】本実施の形態に係る第２処理のフローチャートである。
【図１０】本実施の形態に係る第３処理のフローチャートである。
【図１１】（Ａ）〜（Ｃ）は本実施の形態に係るファンの向きの変化を模式的に示す図である。
【図１２】（Ａ）と（Ｂ）は本実施の形態に係るプロジェクタ装置の外観図である。
【図１３】反射型のオーバヘッドプロジェクタの概観図である。
【符号の説明】
【０１０５】
１  プロジェクタ装置、２  基板、３  ランプ、１１，１２  温度センサ、１３，１４  ファン。
【図１】
2008003489.tif 000003
【図２】
2008003489.tif 000004
【図３】
2008003489.tif 000005
【図４】
2008003489.tif 000006
【図５】
2008003489.tif 000007
【図６】
2008003489.tif 000008
【図７】
2008003489.tif 000009
【図８】
2008003489.tif 000010
【図９】
2008003489.tif 000011
【図１０】
2008003489.tif 000012
【図１１】
2008003489.tif 000013
【図１２】
2008003489.tif 000014
【図１３】
2008003489.tif 000015